【手続補正書】
【提出日】平成17年8月5日(2005.8.5)
【手続補正１】
【補正対象書類名】明細書
【補正対象項目名】特許請求の範囲
【補正方法】変更
【補正の内容】
【特許請求の範囲】
【請求項１】
強度変調されたレーザビームを照射することにより、光記録媒体に、互いに長さが異なる複数種類の記録マークからなる群より選ばれた複数の記録マークを形成して、情報を記録する光記録媒体への情報記録方法であって、
前記群に含まれる少なくとも一つの記録マークの形成に用いるレーザビームの強度を変調するためのレーザ駆動信号の先頭パルス及び最後尾パルスの記録パワーを、
前記先頭パルスと前記最後尾パルスとの間にある中間パルスの記録パワーである第１の記録パワーよりも小さい第２の記録パワーに設定して、情報を記録することを特徴とする光記録媒体への情報記録方法。
【請求項２】
前記第１の記録パワーをＰｗ１とし、前記第２の記録パワーをＰｗ２とした場合に、前記第１記録パワーＰｗ１及び前記第２の記録パワーＰｗ２が、
Ｐｗ２／Ｐｗ１＜０．９
の関係を満たすことを特徴とする請求項１に記載の光記録媒体への情報記録方法。
【請求項３】
前記群に含まれる少なくとも一つの記録マークの形成に用いるレーザビームの強度を変調するためのレーザ駆動信号の冷却パルスのパルス幅を、前記記録パワーのパルス幅よりも広く設定して、情報を記録することを特徴とする請求項１又は２に記載の光記録媒体への情報記録方法。
【請求項４】
前記冷却パルスのパルス幅が、１．０Ｔ以上であることを特徴とする請求項１乃至３のいずれか１項に記載の光記録媒体への情報記録方法。
【請求項５】
前記記録マーク間の最短信号スペースが、３０ｎｓ以下であることを特徴とする請求項１乃至４のいずれか１項に記載の光記録媒体への情報記録方法。
【請求項６】
前記記録マーク間の最短信号スペースが、２０ｎｓ以下であることを特徴とする請求項５に記載の光記録媒体への情報記録方法。
【請求項７】
少なくとも記録層を有し、強度変調されたレーザビームを照射することにより、互いに長さが異なる複数種類の記録マークからなる群より選ばれた複数の記録マークを形成して、情報を記録することが可能な光記録媒体であって、
前記群に含まれる少なくとも一つの記録マークの形成に用いるレーザビームの強度を変調するためのレーザ駆動信号の先頭パルス及び最後尾パルスの記録パワーを、
前記先頭パルスと前記最後尾パルスとの間にある中間パルスの記録パワーである第１の記録パワーよりも小さい第２の記録パワーに設定して、情報を記録するために必要な記録条件設定情報を有していることを特徴とする光記録媒体。
【請求項８】
前記記録条件設定情報が、前記第１の記録パワーをＰｗ１とし、前記第２の記録パワーをＰｗ２とした場合に、前記第１記録パワーＰｗ１及び前記第２の記録パワーＰｗ２が、
Ｐｗ２／Ｐｗ１＜０．９
の関係を満たすために必要な情報を含んでいることを特徴とする請求項７に記載の光記録媒体。
【請求項９】
前記記録条件設定情報が、前記群に含まれる少なくとも一つの記録マークの形成に用いるレーザビームの強度を変調するためのレーザ駆動信号の冷却パルスのパルス幅を、前記記録パワーのパルス幅よりも広く設定して、情報を記録するために必要な情報を含んでいることを特徴とする請求項７又は８に記載の光記録媒体。
【請求項１０】
前記記録条件設定情報が、前記冷却パルスのパルス幅を、１．０Ｔ以上に設定するために必要な情報を含んでいることを特徴とする請求項７乃至９のいずれか１項に記載の光記録媒体。
【請求項１１】
前記記録マーク間の最短信号スペースが、３０ｎｓ以下であることを特徴とする請求項７乃至１０のいずれか１項に記載の光記録媒体。
【請求項１２】
前記記録マーク間の最短信号スペースが、２０ｎｓ以下であることを特徴とする請求項１１に記載の光記録媒体。
【請求項１３】
強度変調されたレーザビームを照射することにより、光記録媒体に、互いに長さが異なる複数種類の記録マークからなる群より選ばれた複数の記録マークを形成して、情報を記録する情報記録／再生装置であって、
前記光記録媒体にレーザビームを照射する光学手段と、
前記レーザビームを制御するためのレーザ駆動信号を供給するレーザ駆動手段とを少なくとも有し、
前記レーザ駆動手段が、
前記群に含まれる少なくとも一つの記録マークの形成に用いるレーザビームの強度を変調するためのレーザ駆動信号の先頭パルス及び最後尾パルスの記録パワーを、
前記先頭パルスと前記最後尾パルスとの間にある中間パルスの記録パワーである第１の記録パワーよりも小さい第２の記録パワーに設定することを特徴とする情報記録／再生装置。
【請求項１４】
前記レーザ駆動手段が、前記第１の記録パワーをＰｗ１とし、前記第２の記録パワーをＰｗ２とした場合に、前記第１記録パワーＰｗ１及び前記第２の記録パワーＰｗ２が、
Ｐｗ２／Ｐｗ１＜０．９
の関係を満たすように、レーザ駆動信号を供給することを特徴とする請求項１３に記載の情報記録／再生装置。
【請求項１５】
前記レーザ駆動手段が、前記群に含まれる少なくとも一つの記録マークの形成に用いるレーザビームの強度を変調するためのレーザ駆動信号の冷却パルスのパルス幅を、前記記録パワーのパルス幅よりも広く設定することを特徴とする請求項１３又は１４に記載の情報記録／再生装置。
【請求項１６】
前記レーザ駆動手段が、前記冷却パルスのパルス幅を、１．０Ｔ以上に設定するレーザ駆動信号を供給することを特徴とする請求項１３乃至１５のいずれか１項に記載の情報記録／再生装置。
【請求項１７】
前記記録マーク間の最短信号スペースが、３０ｎｓ以下であることを特徴とする請求項１３乃至１６のいずれか１項に記載の情報記録／再生装置。
【請求項１８】
前記記録マーク間の最短信号スペースが、２０ｎｓ以下であることを特徴とする請求項１７に記載の情報記録／再生装置。
【手続補正２】
【補正対象書類名】明細書
【補正対象項目名】００１３
【補正方法】変更
【補正の内容】
【００１３】
【課題を解決するための手段】
本発明のかかる目的は、強度変調されたレーザビームを照射することにより、光記録媒体に、互いに長さが異なる複数種類の記録マークからなる群より選ばれた複数の記録マークを形成して、情報を記録する光記録媒体への情報記録方法であって、前記群に含まれる少なくとも一つの記録マークの形成に用いるレーザビームの強度を変調するためのレーザ駆動信号の先頭パルス及び最後尾パルスの記録パワーを、前記先頭パルスと前記最後尾パルスとの間にある中間パルスの記録パワーである第１の記録パワーよりも小さい第２の記録パワーに設定して、情報を記録することを特徴とする光記録媒体への情報記録方法によって達成される。
【手続補正３】
【補正対象書類名】明細書
【補正対象項目名】００１４
【補正方法】変更
【補正の内容】
【００１４】
本発明によれば、レーザビームの先頭パルス及び最後尾パルスの記録パワーを、中間パルスの記録パワーよりも小さいパワーに設定するので、記録マーク形成時における冷却効果の向上により、前後の記録マークに対する熱干渉の影響を低減することができる。これにより、再結晶化を抑制し、ジッタを低減することができる。また、記録マーク形成時において隣接トラックへのクロスイレーズを低減することもできる。したがって、トラックピッチをより狭くすることができる。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
本発明のさらに好ましい実施態様においては、前記第１の記録パワーをＰｗ１とし、前記第２の記録パワーをＰｗ２とした場合に、前記第１記録パワーＰｗ１及び前記第２の記録パワーＰｗ２が、
Ｐｗ２／Ｐｗ１＜０．９
の関係を満たす。
【手続補正７】
【補正対象書類名】明細書
【補正対象項目名】００１９
【補正方法】変更
【補正の内容】
【００１９】
本発明のさらに好ましい実施態様においては、前記群に含まれる少なくとも一つの記録マークの形成に用いるレーザビームの強度を変調するためのレーザ駆動信号の冷却パルスのパルス幅を、前記記録パワーのパルス幅よりも広く設定して、情報を記録する。
【手続補正８】
【補正対象書類名】明細書
【補正対象項目名】００２７
【補正方法】変更
【補正の内容】
【００２７】
本発明の前記目的はまた、少なくとも記録層を有し、強度変調されたレーザビームを照射することにより、互いに長さが異なる複数種類の記録マークからなる群より選ばれた複数の記録マークを形成して、情報を記録することが可能な光記録媒体であって、前記群に含まれる少なくとも一つの記録マークの形成に用いるレーザビームの強度を変調するためのレーザ駆動信号の先頭パルス及び最後尾パルスの記録パワーを、前記先頭パルスと前記最後尾パルスとの間にある中間パルスの記録パワーである第１の記録パワーよりも小さい第２の記録パワーに設定して、情報を記録するために必要な記録条件設定情報を有していることを特徴とする光記録媒体によって達成される。
【手続補正９】
【補正対象書類名】明細書
【補正対象項目名】００２８
【補正方法】変更
【補正の内容】
【００２８】
本発明の好ましい実施態様においては、前記記録条件設定情報が、前記第１の記録パワーをＰｗ１とし、前記第２の記録パワーをＰｗ２とした場合に、前記第１記録パワーＰｗ１及び前記第２の記録パワーＰｗ２が、
Ｐｗ２／Ｐｗ１＜０．９
の関係を満たすために必要な情報を含んでいる。
【手続補正１０】
【補正対象書類名】明細書
【補正対象項目名】００２９
【補正方法】変更
【補正の内容】
【００２９】
本発明のさらに好ましい実施態様においては、前記記録条件設定情報が、前記群に含まれる少なくとも一つの記録マークの形成に用いるレーザビームの強度を変調するためのレーザ駆動信号の冷却パルスのパルス幅を、前記記録パワーのパルス幅よりも広く設定して、情報を記録するために必要な情報を含んでいる。
【手続補正１１】
【補正対象書類名】明細書
【補正対象項目名】００３０
【補正方法】変更
【補正の内容】
【００３０】
本発明のさらに好ましい実施態様においては、前記記録条件設定情報が、前記冷却パルスのパルス幅を、１．０Ｔ以上に設定するために必要な情報を含んでいる。
【手続補正１２】
【補正対象書類名】明細書
【補正対象項目名】００３１
【補正方法】変更
【補正の内容】
【００３１】
本発明のさらに好ましい実施態様においては、前記記録マーク間の最短信号スペースが、３０ｎｓ以下である。
【手続補正１３】
【補正対象書類名】明細書
【補正対象項目名】００３２
【補正方法】変更
【補正の内容】
【００３２】
本発明のさらに好ましい実施態様においては、前記記録マーク間の最短信号スペースが、２０ｎｓ以下である。
【手続補正１４】
【補正対象書類名】明細書
【補正対象項目名】００３３
【補正方法】変更
【補正の内容】
【００３３】
本発明の前記目的はまた、強度変調されたレーザビームを照射することにより、光記録媒体に、互いに長さが異なる複数種類の記録マークからなる群より選ばれた複数の記録マークを形成して、情報を記録する情報記録／再生装置であって、前記光記録媒体にレーザビームを照射する光学手段と、前記レーザビームを制御するためのレーザ駆動信号を供給するレーザ駆動手段とを少なくとも有し、前記レーザ駆動手段が、前記群に含まれる少なくとも一つの記録マークの形成に用いるレーザビームの強度を変調するためのレーザ駆動信号の先頭パルス及び最後尾パルスの記録パワーを、前記先頭パルスと前記最後尾パルスとの間にある中間パルスの記録パワーである第１の記録パワーよりも小さい第２の記録パワーに設定することを特徴とする情報記録／再生装置によって達成される。
【手続補正１５】
【補正対象書類名】明細書
【補正対象項目名】００３４
【補正方法】変更
【補正の内容】
【００３４】
本発明の好ましい実施態様においては、前記レーザ駆動手段が、前記第１の記録パワーをＰｗ１とし、前記第２の記録パワーをＰｗ２とした場合に、前記第１記録パワーＰｗ１及び前記第２の記録パワーＰｗ２が、
Ｐｗ２／Ｐｗ１＜０．９
の関係を満たすように、レーザ駆動信号を供給する。
【手続補正１６】
【補正対象書類名】明細書
【補正対象項目名】００３５
【補正方法】変更
【補正の内容】
【００３５】
本発明のさらに好ましい実施態様においては、前記レーザ駆動手段が、前記群に含まれる少なくとも一つの記録マークの形成に用いるレーザビームの強度を変調するためのレーザ駆動信号の冷却パルスのパルス幅を、前記記録パワーのパルス幅よりも広く設定する。
【手続補正１７】
【補正対象書類名】明細書
【補正対象項目名】００３６
【補正方法】変更
【補正の内容】
【００３６】
本発明のさらに好ましい実施態様においては、前記レーザ駆動手段が、前記冷却パルスのパルス幅を、１．０Ｔ以上に設定するレーザ駆動信号を供給する。
【手続補正１８】
【補正対象書類名】明細書
【補正対象項目名】００３７
【補正方法】変更
【補正の内容】
【００３７】
本発明のさらに好ましい実施態様においては、前記記録マーク間の最短信号スペースが、３０ｎｓ以下である。
【手続補正１９】
【補正対象書類名】明細書
【補正対象項目名】００３８
【補正方法】変更
【補正の内容】
【００３８】
本発明のさらに好ましい実施態様においては、前記記録マーク間の最短信号スペースが、２０ｎｓ以下である。